(57)【要約】【構成】ページ分割コピーにおいて、ページの左右でカラーかモノクロかを別々に選択できるように、ユーザーインターフェースを構成する。次原稿受付機能の使用時には、次原稿毎にカラーかモノクロかを選択できるように、ユーザーインターフェースを構成する。【効果】ページ分割コピーなどにおいて、ページ毎にユーザーがカラーかモノクロか選択できる。【選択図】　　図３
2004147167.tif 000002
【特許請求の範囲】
【請求項１】
見開き原稿をカラースキャナで読み取った際に、見開き原稿の左右を別々のページとして処理するページ分割機能を備えたカラー画像処理装置において、
前記左右の各ページに対して、画像をカラー画像とするかモノクロ画像とするかをユーザーが個別に選択できるように、ユーザーインターフェースを構成したことを特徴とする、カラー画像処理装置。
【請求項２】
前記ユーザーインターフェースを、ページ分割機能を用いるかどうかのユーザーの入力をガイダンスし、次いでカラー画像とするかモノクロ画像とするかをユーザーが左右の各ページ毎に入力できるようにガイダンスするように構成したことを特徴とする、請求項１のカラー画像処理装置。
【請求項３】
原稿台上の複数枚の原稿をカラースキャナで連続的に読み取るための次原稿受付機能を備えたカラー画像処理装置において、
前記複数枚の原稿の１枚毎に、画像をカラー画像とするかモノクロ画像とするかを、ユーザーが個別に選択できるように、ユーザーインターフェースを構成したことを特徴とする、カラー画像処理装置。
【請求項４】
前記ユーザーインターフェースを、次原稿の有無の入力をガイダンスし、次いで次原稿をカラー画像とするかモノクロ画像とするかの入力をガイダンスするように構成したことを特徴とする、請求項３のカラー画像処理装置。
【請求項５】
原稿束から原稿を１枚ずつカラースキャナへ供給するための給紙装置を備えると共に、複数の原稿束をカラースキャナで連続的に読み取るための次原稿受付機能を備えたカラー画像処理装置において、
前記原稿束間で、画像をカラー画像とするかモノクロ画像とするかを、ユーザーが選択できるように、ユーザーインターフェースを構成したことを特徴とする、カラー画像処理装置。
【請求項６】
１つの原稿束内でも、ページ単位で画像をカラー画像とするかモノクロ画像とするかを、ユーザーが選択できるように、前記ユーザーインターフェースを構成したことを特徴とする、請求項５のカラー画像処理装置。
【請求項７】
前記読み取った画像をカラープリントするためのカラープリンタを設けたことを特徴とする、請求項１〜６のいずれかのカラー画像処理装置。
【発明の詳細な説明】
【０００１】
【発明の利用分野】
この発明はカラープリンタやカラーファクシミリ、カラースキャナなどのカラー画像の処理装置に関する。
【０００２】
【従来技術】
【０００３】
【特許文献１】特開２００２−４４４６６号公報
【０００４】
上記特許文献１は、読み取った画像がカラーか白黒かを判別し、カラー画像であれば自動的にカラープリントし、白黒画像であれば白黒でコピーすることを記述している。またカラーか白黒かの判別単位は、ページよりも小さな単位であるバンドである。
【０００５】
ところでページの一部のみがカラーである場合、カラーではなく白黒でコピーしたい場合がある。例えばページの一部でもカラープリントすると、トナーの現像定着のプロセスを複数回繰り返さなければならないので、コピー時間が長くなる。また重要な写真や図だけをカラープリントして、他は原稿がカラーでも白黒でコピーしたいことがある。カラー画像を検出すると自動的にカラープリントするのでは、このような要求に応えることができない。
【０００６】
【発明の課題】
この発明の課題は、ページ分割機能や次原稿受付機能を用いて、複数ページや複数枚の原稿、あるいは複数の原稿束を読み取る際に、カラー画像として処理するか、モノクロ画像として処理するか、原稿のページ毎や１枚毎にあるいは原稿束毎に、ユーザーが選択できるようにすることにある（請求項１〜７）。
【０００７】
【発明の構成】
この発明は、見開き原稿をカラースキャナで読み取った際に、見開き原稿の左右を別々のページとして処理するページ分割機能を備えたカラー画像処理装置において、前記左右の各ページに対して、画像をカラー画像とするかモノクロ画像とするかをユーザーが個別に選択できるように、ユーザーインターフェースを構成したことを特徴とする（請求項１）。
【０００８】
好ましくは、前記ユーザーインターフェースを、ページ分割機能を用いるかどうかのユーザーの入力をガイダンスし、次いでカラー画像とするかモノクロ画像とするかをユーザーが左右の各ページ毎に入力できるようにガイダンスするように構成する（請求項２）。
【０００９】
またこの発明は、原稿台上の複数枚の原稿をカラースキャナで連続的に読み取るための次原稿受付機能を備えたカラー画像処理装置において、前記複数枚の原稿の１枚毎に、画像をカラー画像とするかモノクロ画像とするかを、ユーザーが個別に選択できるように、ユーザーインターフェースを構成したことを特徴とする（請求項３）。
好ましくは、前記ユーザーインターフェースを、次原稿の有無のユーザーの入力をガイダンスし、次いで次原稿をカラー画像とするかモノクロ画像とするかのユーザーの入力をガイダンスするように構成する（請求項４）。
【００１０】
またこの発明は、原稿束から原稿を１枚ずつカラースキャナへ供給するための給紙装置を備えると共に、複数の原稿束をカラースキャナで連続的に読み取るための次原稿受付機能を備えたカラー画像処理装置において、前記原稿束間で、画像をカラー画像とするかモノクロ画像とするかを、ユーザーが選択できるように、ユーザーインターフェースを構成したことを特徴とする（請求項５）。
好ましくは、１つの原稿束内でも、ページ単位で画像をカラー画像とするかモノクロ画像とするかを、ユーザーが選択できるように、ユーザーインターフェースを構成する（請求項６）。
【００１１】
読み取った画像の用途は、カラーファクシミリや単なる画像データとして蓄積するものでも良いが、好ましくは読み取った画像をカラープリントするためのカラープリンタを設けて、カラープリントできるようにする（請求項７）。
【００１２】
【発明の作用と効果】
この発明のカラー画像処理装置では、ページ分割機能を用いて、見開き原稿を左右の２ページにコピーする場合に、ユーザーは左右の各ページに対して、カラー画像とするかモノクロ画像とするかを選択できる。このため、カラー画像が含まれてはいるがモノクロでよい場合などは、モノクロで処理することができ便利である（請求項１）。
【００１３】
請求項２の発明では、ページ分割機能を用いて見開き原稿の左右を別のページとして処理するかどうかの入力をガイダンスし、次いで左右の各ページをカラー画像とするかモノクロ画像とするかの入力をガイダンスするので、ユーザーに取っての操作性が良い（請求項２）。
【００１４】
またこの発明では、次原稿受付機能を用いて原稿台上の複数枚の原稿をカラースキャナで連続的に読み取る際に、原稿の１枚毎にカラー画像とするかモノクロ画像とするかを個別に選択できるので、便利である（請求項３）。
請求項４の発明では、次原稿の有無の入力をガイダンスし、次いで次原稿をカラー画像とするかモノクロ画像とするかの入力をガイダンスするので、ユーザーは次原稿受付機能を用いる際に、カラーかモノクロかの選択操作が容易である。
【００１５】
さらにこの発明では、ＡＤＦ（自動給紙装置）と次原稿受付機能とを用いて、複数の原稿束を連続してカラースキャナで読み取る際に、少なくとも原稿束単位でカラーかモノクロかを選択できるので便利である（請求項５）。
請求項６の発明では特に、ページ単位でカラーかモノクロかを選択できるので、原稿束の一部のページをカラー画像とし、他をモノクロ画像とすることができ、便利である。
【００１６】
請求項７の発明では、読み取った画像をカラープリンタでカラープリントできるので、必要なページのみをカラープリントすることにより、トナーの消費量を削減する、あるいはプリントに要する時間を短縮するなどのことができる。
【００１７】
【実施例】
図１〜図７に、実施例を示す。これらの図において、カラー画像処理装置２は、カラースキャナ４の他に、カラープリンタ２４やカラーファクシミリ２６、ＬＡＮインターフェース２８などを備え、実質的にはスキャナ，コピー，プリンタ，ファクシミリ兼用の複合機である。カラースキャナ４には透明なガラスの原稿台を設けて、原稿台上に見開き原稿などの原稿を載置して、ＣＣＤなどのカラーセンサ８で原稿画像を読み取れるようにする。原稿台上の原稿を読み取ることを、以下ＦＢＳ読み取りという。またＡＤＦ（自動給紙装置）６を設けて、複数枚の原稿を自動的に１枚ずつ、カラーセンサ８での読み取り位置へと給紙できるようにする。ＡＤＦ６を用いた読み取りを、ＡＤＦ読み取りという。光学系駆動部１０は、カラーセンサ８やミラーなどの光学系を、ＡＤＦでの読み取り位置へと移動させる。光学系駆動部１０は、ＦＢＳ読み取りの際に、カラーセンサ８やミラーなどを運動させて、読み取りを可能にする。
【００１８】
カラーセンサ８は、例えばＲＧＢ各々のラインセンサを備え、各ラインセンサを用いて、ＲＧＢ画像としてカラー画像を読み取り、出力形態はＲＧＢ各８ビットなどの階調画像である。カラーセンサ８がモノクロ画像としても画像を読み取る場合、例えば後述の画像処理部１６でカラー画像をＬａｂやＣＭＹＫなどの画像空間を介して、モノクロ画像に変換する。しかしカラーセンサ８で、例えばＧ（緑）などの一種類のラインセンサを用いて、最初からモノクロ画像として画像を読み取っても良い。ページ分割機能を用いて１枚の見開き原稿を左右２ページの画像として読み取る場合で、左右のページの一方がカラー読み取りで他方がモノクロ読み取りの場合、原稿サイズから読み取りライン数（走査ライン数）を決定して、所定のライン数分原稿を読み取ることにより、原稿の副走査方向（長手方向）の中央まで読み取ると、画像の処理条件をカラーとモノクロとの間で変更する。カラーセンサ８の出力はアナログフロントエンドプロセッサ（ＡＦＥ）１２へ送られ、増幅とＡＤ変換とを受けた後に、シェーディング補正部１４で、照明ばらつきの影響やカラーセンサ８での光素子毎の出力ばらつきなどを補正する。
【００１９】
画像処理部１６で縮小・拡大や回転，尖鋭化や平滑化などの画像処理を施す。またカラーセンサ８からシェーディング補正部１４までで生じたデバイス依存性を補償し、デバイスから独立したカラー画像に変換する。また画像処理部１６は、カラー画像を例えば多値画像（階調画像）のまま出力する。画像処理部１６はカラーからモノクロへの画像変換を行い、例えばＲＧＢカラー画像をＬａｂ画像に変換し、その内のＬ成分（明度成分）を用いてモノクロ画像とする。あるいはＲＧＢ画像をＣＭＹＫ画像などに変換して、そのＫ成分（黒成分）をモノクロ画像として用いても良い。モノクロ画像は、画像処理装置をスキャナとして用いるときは多値画像として出力し、プリンタやファクシミリ装置として用いるときは、例えば２値化して出力する。さらにページ分割機能を用いて、１枚の見開き原稿を左右２ページとして読み取る場合、例えば画像処理部１６で、読み取り画像を左右２ページに分割する。この場合において、左右のページで読み取り条件がカラーとモノクロとに変化する場合、画像処理部での処理条件を変更する。そして処理条件の変更のタイミングは、読み取り済みのライン数に基づいて決定する。
【００２０】
２０は画像バスで、２２はコマンドバスであり、２４はカラープリンタで、例えばＣＭＹＫの４色のトナーを用い、カラープリントする。２６はカラーファクシミリで、モノクロやカラーのファクシミリの送受信を行う。２８はＬＡＮインターフェースで、カラー画像処理装置２をネットワークに接続し、ネットワークプリンタやネットワークスキャナ、あるいはネットワークファクシミリ装置として、カラー画像処理装置２を動作させる。記憶部３０は、読み取ったカラーやモノクロの画像あるいは受信した画像を記憶する。記憶部３０は設けなくても良い。
【００２１】
３２はユーザーインターフェースで、カラー画像処理装置２の機側に設けた入力部３４からユーザーの入力を受け付け、同様に機側に設けた表示部３６で種々の表示を行う。入力部３４や表示部３６はＬＣＤやタッチパネル、テンキー、スタートキーなどからなる。ユーザーインターフェース３２はこれ以外に、ＬＡＮインターフェース２８を介して、ネットワークに接続されたクライアントからの操作入力を受け付け、クライアントに対して設定画面などの表示を送出することを処理する。
【００２２】
ユーザーインターフェース３２には条件記憶部３８を設け、ユーザーがコピー（以下プリントということがある）やファクシミリ，スキャンなどの操作に対して入力した、動作条件を記憶する。例えばページ分割機能を用いたコピー（ページ分割コピー）を行うかどうか、ページ分割コピーを行う場合、左右の各ページを白黒とするかカラーとするか、などの入力を記憶する。また次原稿受付機能を用いてコピーする場合、次原稿の有無や、次の原稿はカラーかモノクロ（白黒）かなどを記憶する。さらに両面コピーを行うかなどのその他の条件を記憶する。
【００２３】
４０は次原稿受付機能処理部で、次原稿受付機能を用いる場合、次の原稿が無くなるまで原稿の読み取りを繰り返すようにＡＤＦ６や光学系駆動部１０などに指示し、かつ原稿の１枚毎にカラーかモノクロかの読み取り条件をカラーセンサ８に指定する。４２はページ分割機能処理部で、原稿台上の見開き原稿に対して、原稿をその中央部で左右に２分割して２ページの画像として読み込むことを指示し、また左右の各ページに対して、カラーかモノクロかの読み取り条件をカラーセンサ８に指示する。次原稿受付機能処理部４０やページ分割機能処理部４２からの指示は、コマンドバス２２を介して、カラースキャナ４へ入力される。読み取りモードがカラーかモノクロかはカラーセンサ８へ入力されるが、カラーセンサ８では原稿をカラーで読み取り、画像処理部１６でカラーからモノクロに変換するようにしても良い。
【００２４】
図２に、ページ分割コピーでの操作手順を示す。例えばカラー画像入りのブック原稿５０を、見開き原稿としてＦＢＳで読み取るものとする。ここでユーザーは表示部３６などを介して、ページ分割コピーを行う旨をユーザーインターフェース３２に入力する。すると表示部３６には、ページ分割機能選択画面５２が表示され、ページ分割コピーを行う旨と、原稿を表裏２ページではなく左右２ページに分割してコピーする旨が表示される。「左右」の表示の下に切替キーが表示され、このキーにタッチすると、分割条件が左右２ページではなく表裏２ページへと変化する。
【００２５】
次いで表示部３６には、カラー／モノクロ選択画面５３が表示され、表示のデフォールト値は左右（表裏）ともモノクロ、または左右（表裏）ともカラーのいずれかである。図２では、左右各ページともカラーでプリントする旨が表示され、「カラー」の下に切替キーが表示されているので、これにタッチすることにより、左右の２ページについてカラーかモノクロかを個別に選択できる。図２のカラー／モノクロ選択画面５４では、左側のページがカラープリントされ、右側のページがモノクロコピーされることが表示されている。ここでスタートキー５５を押下すると、見開き原稿１枚（左右２ページ）分のカラースキャンが行われ、左側のページはカラープリントされ、右側のページはモノクロプリントされる。
【００２６】
スタートキー５５が押下され、他の入力がなされない場合、次も同様にページ分割機能を用いて左右２ページのコピーがなされるものとして、カラー／モノクロ選択画面５４が表示される。ここで左右両ページともモノクロにする場合、「カラー」の下の切替キーにタッチすればよい。また図２に示す例とは逆に、左側をモノクロに、右側をカラーにする場合、左右それぞれの切替キーにタッチすればよい。このように、ページ分割機能によるコピー（プリント）を実行する間に、次の原稿をセットし、左右のページ毎にカラーかモノクロかを選択してスタートキーを押下すると、カラープリントができる。なおオールクリアなどの他の入力を行うと、ページ分割コピーの機能が解除される。実施例ではページ分割コピーは原稿台を用いてＦＢＳ読み取りするものとしたが、１枚の大きな原稿を見開き原稿と見なして、左右２ページあるいは表裏２ページの原稿に変換するように、ＡＤＦ読み取りしてもよい。
【００２７】
図３に、ページ分割コピーでのアルゴリズムを示す。ステップ１でページ分割を行うかどうかをユーザーに問い合わせ、ページ分割を行わない場合、コピー条件の入力を受け付け（ステップ２）、コピーを実行する（ステップ３）。ページ分割を行う場合、１枚の原稿の左右を、プリント用紙では左右２ページに分割するのか、両面２ページとするのか、などのコピー条件の入力を求める（ステップ４）。そしてページ分割した左右それぞれのページに対する、カラーかモノクロか入力を求める（ステップ５）。
【００２８】
これらの条件が入力されると、ステップ６でカラーあるいはモノクロのコピーを実行し、ステップ７で次のコピーの有無の入力を検出する。次のコピーが存在する場合、コピー条件に変化がなければ、ページ分割コピーの場合はステップ５へジャンプする。これはカラーかモノクロかの指定が原稿毎に変化するものとして、原稿毎にかつ左右独立にカラーかモノクロかを指定できるようにするためである。ページ分割コピーでなく、かつコピー条件に変化がなければ、例えばステップ３へジャンプする。コピー条件に変更がある場合、コピー条件の変更に従って、いずれかのステップに戻り、例えばステップ１へジャンプする。
【００２９】
図４〜図７に、次原稿受付機能を用いた際の操作手順や、ユーザーインターフェースのアルゴリズムを示す。ＦＢＳでの読み取りの場合、次原稿の有無に関するデフォールト値は「有」であり、ＡＤＦでの読み取りの場合、次原稿の受付に関するデフォールト値は「無」である。例えば次原稿受付機能がオフの場合、表示部３６には次原稿受付機能選択画面６１が表示され、ユーザーがここから切替キーにタッチすると、次原稿受付機能画面６２が表示され、次原稿の受付機能が「有」にセットされる。ここから「有」の下の切替キーにタッチすると、次原稿「無」とされる。また読み取りは例えば「カラー」とされているが、切替キーにタッチすると「白黒」に変化する。このようにして次原稿を「有」にセットし、読み取りを「カラー」として、スタートキー６３を押下すると、読み取りを実行する。以降の原稿に対しては、選択画面６２から次原稿の有無やカラーかモノクロかなどの読み取り条件を指定し、スタートキー６３を押下すると、次々と原稿が１枚ずつ読み込まれる。
【００３０】
ここでＡＤＦを用いる場合、次の原稿を読み込むまでの間隔は数秒程度しかないので、基本的にページ間での操作入力を不要にし、設定を変更する場合のみ、変更したいページの読み取り開始直前に設定変更操作の入力を行えばよい。このようにＡＤＦ読み取り中に設定変更操作が行われれば、次のページから変更後の条件が適用される。それ以外の場合は、前の読み取り条件と同じ条件で、読み取りを行うものとする。
【００３１】
図５に、ＦＢＳを用いる場合の、次原稿受付機能でのユーザーインターフェースのアルゴリズムを示す。ステップ１１でカラーかモノクロかなどのコピー条件を受け付け、スタートキーが押下されると（ステップ１２）、原稿がセットされているかどうかをチェックし（ステップ１３）、セットされていない場合「原稿をセットして下さい」などを表示する（ステップ１４）。
【００３２】
そしてステップ１５で、カラーかモノクロかの指定されたモードで画像を読み取り、これと同時にあるいは読み取りを終了すると、図４の選択画面６２などを表示して、次原稿の受付を行い（ステップ１６）、所定時間の間に次原稿有りの入力がされなかったか、または次原稿無しの入力がされた場合（ステップ１７〜１９）、読み取り済みの原稿を、カラーあるいはモノクロでプリントする。次原稿有りの入力がされると（ステップ１７）、カラーかモノクロかの選択（ステップ１１）に戻り、指定された条件で次のページを読み込む。
【００３３】
図６，図７にＡＤＦと次原稿受付機能とを用いて、複数の原稿束を読み取り、原稿束間やページ間でカラーかモノクロかの読み取り画像の種類を変更する際の、ユーザーインターフェースアルゴリズムを示す。最初にステップ２１で、カラーかモノクロかなどの画像の読み取り条件や、次原稿受付機能を用いるか（「次原稿有り」）、あるいは次原稿受付機能を用いないか（「次原稿無し」）などの条件についての、ユーザーの入力を受け付ける。ステップ２２でスタートキーが押下されるのを待ち、ステップ２３で原稿のセットの有無を検出し、未セットの場合はステップ２４で、原稿のセットを促す。ここで原稿は、複数枚の原稿からなる原稿束として、ＡＤＦにセットされるものとする。
【００３４】
スタートキーが押下され、原稿がセットされていると、ステップ２５で原稿の読み取りを開始し、ステップ２６、２７で次原稿の受付状態をチェックし、「次原稿有り」の場合は、ステップ２８で次ページの有無をチェックし、次ページ有りの場合、ステップ２９で読み取り条件変更の入力の有無をチェックする。そして変更が有れば、変更後の読み取り条件で次のページを読み取り（ステップ３０）、変更がなければ、前のページと同じ読み取り条件で次のページを読み取る（ステップ３１）。また次のページが無い場合、ステップ３２で例えば所定時間待機した後に、１つの原稿束の読み取りが終わり、次の原稿束を読み取るものとしてステップ２１へ戻る。
【００３５】
これらのため、原稿束間で、カラーかモノクロかなどの読み取り条件をユーザーが選択できる（ステップ２１）。また１つの原稿束のページ間でも、カラーかモノクロかなどの読み取り条件を変更でき（ステップ２９）、読み取り条件が変更されると、次ページ以降の各ページの読み取り条件が変更される。
【００３６】
「次原稿有り」の入力がなされていない場合（ステップ２７）、ステップ３５で「次原稿無し」と入力されているかどうをかをチェックし、「次原稿有り」との入力も「次原稿無し」との入力もなされていない場合、ステップ３６で次ページの有無をチェックする。そして次ページが有れば、ステップ３７で読み取り条件変更の入力の有無をチェックし、変更が有れば、変更後の読み取り条件で次のページを読み取り（ステップ３８）、変更がなければ、前のページと同じ読み取り条件で次のページを読み取る（ステップ３９）。
【００３７】
ステップ３６で次ページが無いことを検出した場合、読み取りを終了するかどうかをステップ４１で判断し、終了する場合、次原稿の受付を終了して、ジョブを終了する。また読み取りを終了しない場合、ステップ２７へ戻る。
【００３８】
ステップ３５で、「次原稿無し」の入力がされていることを検出した場合、結合子▲３▼から７のステップ４５へ移り、次ページの有無をステップ４５でチェックし、次ページが有る場合、ステップ４６で読み取り条件変更の入力の有無をチェックし、変更が有れば、変更後の読み取り条件で次のページを読み取り（ステップ４７）、変更がなければ、前のページと同じ読み取り条件で次のページを読み取る（ステップ４８）。また次ページが無い場合、ステップ５０から読み取りを終了する。
【００３９】
なお図５〜図７の各アルゴリズムでは、原稿を例えば所定枚数読み取り・蓄積すると、読み取りの終了を待たずに、指定されたカラーかモノクロかの条件に応じて、自動的に画像をプリントするものとする。また図６，図７のアルゴリズムでは、原稿はほぼ連続して数秒程度の間隔で読み込まれるので、読み取り条件の変更が有れば、それ以降のページについて変更後の読み取り条件を適用するようにして、読み取り条件の変更がある場合のみ、読み取り条件の入力が必要なようにしている。
【００４０】
実施例では、読み取った原稿はカラープリントするものとしたが、カラーファクシミリしても、あるいは記憶部などに蓄積しても良い。実施例では、ページ分割機能や次原稿受付機能を用いたコピーで、ページ毎にあるいは原稿束毎にカラーかモノクロかを指定できるので、原稿の種類により一律にカラーかモノクロかを定める場合よりも、便利である。さらにＡＤＦにより両面読み取りが可能な場合、表面と裏面とでカラーかモノクロかなどの読み取り条件を変更できるようにユーザーインターフェースを構成しても良い。
【図面の簡単な説明】
【図１】実施例のカラー画像処理装置のブロック図
【図２】実施例でのページ分割コピー時の操作手順を示す図
【図３】実施例でのページ分割コピーのユーザーインターフェースアルゴリズムを示すフローチャート
【図４】実施例の次原稿受付機能での操作手順を示す図
【図５】実施例でのＦＢＳを用いた次原稿受付機能での、ユーザーインターフェースアルゴリズムを示すフローチャート
【図６】実施例でのＡＤＦを用いた次原稿受付機能での、ユーザーインターフェースアルゴリズムを示すフローチャート
【図７】図６の結合子▲３▼以降のユーザーインターフェースアルゴリズムを示すフローチャート
【符号の説明】
２　　　　　カラー画像処理装置
４　　　　　カラースキャナ
６　　　　　ＡＤＦ
８　　　　　カラーセンサ
１０　　　　光学系駆動部
１２　　　　アナログフロントエンドプロセッサ（ＡＦＥ）
１４　　　　シェーディング補正部
１６　　　　画像処理部
２０　　　　画像バス
２２　　　　コマンドバス
２４　　　　カラープリンタ
２６　　　　カラーファクシミリ
２８　　　　ＬＡＮインターフェース
３０　　　　記憶部
３２　　　　ユーザーインターフェース
３４　　　　入力部
３６　　　　表示部
３８　　　　条件記憶部
４０　　　　次原稿受付機能処理部
４２　　　　ページ分割機能処理部
５０　　　　ブック原稿
５２　　　　ページ分割機能選択画面
５３，５４　カラー／モノクロ選択画面
５５，６３　スタートキー押下
６１，６２　次原稿受付機能選択画面
【図１】
2004147167.tif 000003
【図２】
2004147167.tif 000004
【図３】
2004147167.tif 000005
【図４】
2004147167.tif 000006
【図５】
2004147167.tif 000007
【図６】
2004147167.tif 000008
【図７】
2004147167.tif 000009